(57)【要約】【課題】  立体商品見本（立体ダミー）および／またはシート状商品見本（フィルムダミー）を見栄え良く、しかも安定に保持して展示することのできる自動販売機の商品見本展示装置を提供する。【解決手段】  前扉の裏面側に設けた中扉の内側に組み付けられて前扉との間に立体商品見本を並べて展示する商品展示棚と、前扉に設けられて上記商品展示棚が形成した商品見本の展示領域を覆う透明板を備えた商品展示窓と、商品展示棚に展示される複数の立体商品見本にそれぞれ対応付けられる複数の商品選択釦を備えて前記商品展示窓に組み付けられる商品選択操作ユニットとを具備し、特に前記商品選択操作ユニットの前記透明板の裏面側に位置付けられる背面部材に、前記商品展示棚の前面位置付けてシート状商品見本を保持する保持部を設けたことを特徴とする。【選択図】      図２
2005332251.tif 000002
【特許請求の範囲】
【請求項１】
販売機本体の前面に設けられた前扉に組み込まれる商品見本展示装置であって、
前記前扉の裏面側を開放可能に設けた中扉の内側に組み付けられて前記前扉との間に複数の立体商品見本を並べて展示する商品展示棚と、
この商品展示棚が形成した前記立体商品見本の展示領域を覆う透明板を備えて前記前扉に設けられた商品展示窓と、
前記商品展示棚に展示される複数の立体商品見本にそれぞれ対応付けられる複数の商品選択釦を備え、前記商品展示棚に対峙させて上記商品展示窓に組み付けられる商品選択操作ユニットとを具備し、
前記商品選択操作ユニットの前記透明板の裏面側に位置付けられる背面部材に、前記商品展示棚の前面位置付けてシート状商品見本を保持する保持部を設けたことを特徴とする自動販売機の商品見本展示装置。
【請求項２】
前記商品選択操作ユニットは、複数段の商品展示棚のそれぞれに対応付けて上下に並べて複数列設けられるものであって、
前記保持部は、前記商品選択操作ユニットの前記背面部材の上部に設けられて前記シート状商品見本の下端部が差し込まれる第１の溝、および前記背面部材の下部に設けられて前記シート状商品見本の上端部が差し込まれる第２の溝からなり、上下に隣接する商品選択操作ユニット間の上記第１の溝と第２の溝との間に前記シート状商品見本を保持するものである請求項１に記載の自動販売機の商品見本展示装置。
【請求項３】
請求項１または２に記載の自動販売機の商品見本展示装置において、
前記商品選択操作ユニットに設けた保持部の前面側に、前記前記透明板の裏面に位置付けられる価格ラベルの装着部を設けたことを特徴とする自動販売機の商品見本展示装置。
【発明の詳細な説明】
【技術分野】
【０００１】
本発明は、販売機本体の前面に設けられた前扉に組み込まれる商品見本展示装置に係り、特に立体商品見本とシート状商品見本とを選択的に展示するに好適な自動販売機の商品見本展示装置に関する。
【背景技術】
【０００２】
たばこ等のパッケージ商品の自動販売機は、通常、箱形の販売機本体の前面部に設けた前扉の前面に、商品見本展示部（商品見本展示装置）や、この商品見本展示部に展示された商品見本を選択的に指定する商品選択釦、更には金銭投入口や釣り銭払出口等を設けて構成される（例えば特許文献１を参照）。商品見本展示部は、販売対象とするパッケージ商品（例えばたばこ）の見本を並べて展示する複数段の商品展示棚を備えたもので、商品選択釦は上記各商品見本展示棚に展示される複数の商品見本に対応付けて設けられる。そして自動販売機は、上記商品選択釦が選択的に押圧操作されたとき、その商品選択釦が対応付けられた商品見本により特定されるパッケージ商品を選択的に払い出すものとなっている。
【０００３】
尚、たばこ等の箱形のパッケージ商品は、商品種別（銘柄）毎に分類されて販売機本体の内部に設けられた複数列の商品コラムにそれぞれ積み重ねて収納される。
【特許文献１】特開２００２−２７９４９７号公報
【発明の開示】
【発明が解決しようとする課題】
【０００４】
ところで前述した商品見本展示部に展示する商品見本は、専ら、商品の外観（形状・デザイン）を模して製作されたプラスチック製の立体商品見本（立体ダミー）として提供される。尚、立体商品見本が提供されない場合には、パッケージ商品そのものを見本として前記商品見本展示部に展示する場合もある。しかしこの種の立体商品見本（立体ダミー）を商品種別（銘柄）毎に準備するには多大な経費が嵩むことが否めない。またパッケージ商品そのものを見本として用いた場合、当該商品を販売することができないと言う不具合がある。
【０００５】
そこでプラスチック等からなるシート状の薄板に商品イメージ等を印刷した安価なシート状商品見本（フィルムダミー）を前述した商品見本展示部に展示することが考えられている。しかしながら従来の自動販売機における商品展示部は、複数の立体商品見本（立体ダミー）を並べて展示するように構成されているだけなので、シート状商品見本（フィルムダミー）を如何にして見栄え良く、しかも安定に保持して展示するかと言う点で幾つかの問題を有している。更には商品展示部に立体商品見本（立体ダミー）とシート状商品見本（フィルムダミー）とを混在させて展示する場合、これらをどのように並べて展示するかと言う点でも問題が残されている。
【０００６】
本発明はこのような事情を考慮してなされたもので、その目的は、立体商品見本（立体ダミー）および／またはシート状商品見本（フィルムダミー）を見栄え良く、しかも安定に保持して展示することのできる自動販売機の商品見本展示装置を提供することにある。
【課題を解決するための手段】
【０００７】
上述した目的を達成するべく本発明に係る自動販売機の商品見本展示装置は、販売機本体の前面に設けられた前扉に組み込まれるものであって、
<ａ>  前記前扉の裏面側を開放可能に設けた中扉の内側に組み付けられて前記前扉との間に複数の立体商品見本を並べて展示する商品展示棚と、
<ｂ>  この商品展示棚が形成した前記立体商品見本の展示領域を覆う透明板を備えて前記前扉に設けられた商品展示窓と、
<ｃ>  前記商品展示棚に展示される複数の立体商品見本にそれぞれ対応付けられる複数の商品選択釦を備え、前記商品展示棚に対峙させて上記商品展示窓に組み付けられる商品選択操作ユニットとを具備し、
<ｄ>  特に前記商品選択操作ユニットの前記透明板の裏面側に位置付けられる背面部材に、前記商品展示棚の前面位置付けてシート状商品見本を保持する保持部を設けたことを特徴としている。
【０００８】
好ましくは請求項２に記載するように前記商品選択操作ユニットは、複数段の商品展示棚のそれぞれに対応付けて上下に並べて複数列設けられる。そして前記保持部は、前記商品選択操作ユニットの前記背面部材の上部に設けられて前記シート状商品見本の下端部が差し込まれる第１の溝、および前記背面部材の下部に設けられて前記シート状商品見本の上端部が差し込まれる第２の溝からなり、上下に隣接する商品選択操作ユニット間の上記第１の溝と第２の溝との間に前記シート状商品見本を保持するように構成される。
【０００９】
更には請求項３に記載するように前記商品選択操作ユニットに設けた保持部の前面側に、前記透明板の裏面に位置付けられる価格ラベルの装着部を設けることも好ましい。また好ましくは前記立体商品見本を商品と略等しい大きさを有したものとし、これに対して前記シート状商品見本を、商品イメージを印刷した前記商品展示棚における前記立体商品見本の展示幅、または前記商品展示棚の全幅と略等しい幅の合成樹脂板として実現するようにすれば良い。
【発明の効果】
【００１０】
本発明に係る自動販売機の商品見本展示装置によれば、中扉の内側に組み付けられて立体商品見本を展示する商品展示棚とは別に、上記商品展示棚に対応付けて前扉に設けられた商品選択操作ユニット側の、特に透明板の裏面側に位置付けられた前記商品選択操作ユニットの背面部材にシート状商品見本（フィルムダミー）を保持する保持部を設けているので、立体商品見本およびシート状商品見本をそれぞれ独立に商品見本展示装置に展示することができる。
【００１１】
しかも販売機本体の前面に設けられた前扉を開き、更にこの前扉の裏面側を開放する中扉を開くことにより商品展示棚の前面および前扉（透明板）の背面をそれぞれ開放することができるので、これらの立体商品見本およびシート状商品見本をそれぞれ独立に、しかも体裁良く商品展示装置に展示することができる。そして中扉を閉じれば前記商品選択操作ユニットの背面部材に保持したシート状商品見本を商品展示棚の前面に位置付けることができるので、該シート状商品見本によりその背面側の商品展示棚を覆い隠すことができる。従って商品展示棚に立体商品見本を展示した状態であっても、該立体商品見本の前面側にシート状商品見本を位置付けて、このシート状商品見本を優先的に展示することが可能となる。故に立体商品見本からシート状商品見本へと徐々に移行していく過程においても、立体商品見本の存在に拘わることなしにシート状商品見本を効果的に展示していくことが可能となる。
【００１２】
また上述した商品見本展示装置によれば、請求項２に記載したように商品選択操作ユニットの背面部材に設けた第１および第２の溝を利用してシート状商品見本の上下端を挟み込み、これによって商品展示棚の前面側を覆う透明板の裏面側にシート状商品見本を保持するだけなので、その装脱作業が容易であり、しかも透明板に沿ってシート状商品見本を安定に保持することができるので、シート状商品見本を見栄え良く展示することができる等の効果が奏せられる。
【発明を実施するための最良の形態】
【００１３】
以下、図面を参照して本発明の一実施形態に係る自動販売機の商品見本展示装置について、たばこ（シガレット）の自動販売機を例に説明する。
図１はこの実施形態に係る自動販売機の外観とその概略的な内部構造を示す斜視図で、１はその内部に複数種の商品（たばこ）を銘柄別に分類して収納した、例えば高さ約１８０ｃｍ，幅約８０ｃｍ、奥行き約５０ｃｍの箱形の販売機本体であり、２はその前面部に開閉自在に設けられた前扉である。この前扉２の前面には、図１(ａ)に示すように販売対象とする複数の商品見本を展示する商品見本展示部３、およびこの商品見本展示部３に展示された商品を選択的に指定する為の複数の商品選択釦４が設けられている。
【００１４】
上記商品見本展示部３は、複数種の商品見本（ダミー）を載置して展示する複数段の商品展示棚を備え、その前面部を透明なアクリル板等により覆ったものである。また前記商品選択釦４は上記各商品展示棚に展示された商品見本（ダミー）にそれぞれ対応付けて前記前扉２の前面側から押圧操作可能に、前記各商品展示棚の前端部にそれぞれ設けられている。尚、この図１(ａ)に示す自動販売機においては、前扉２の前面上端部に該自動販売機の略全幅に跨る幅広の商品展示棚が１段設けられ、前扉２の前面左側の部位には該自動販売機の略１／２幅の幅狭の商品展示棚が上下７段に亘って設けられており、計４９個の商品見本を展示可能な商品見本展示部３が構成されている。
【００１５】
また前扉２の前面における略中央高さ位置の右側領域には、コイン投入口５ａ，紙幣投入口５ｂ，投入金額等を表示する表示器５ｃ、および釣り銭返却レバー５ｄ等からなる金銭処理機構５が設けられている。更に前記前扉２の前面における低部位置には、前記商品選択釦４の選択的（択一的）な操作に伴って販売機本体１から選択的に払い出された商品を取り出す為の商品取出口６や釣り銭返却口７、更には前扉２の開閉レバー８等が設けられている。
【００１６】
そして前記前扉２における上記金銭処理機構５の上部には窓部が設けられており、この窓部には広告ユニット１０が組み込まれるようになっている。この広告ユニット１０は、立体商品見本を左右に揺動させるメカニカル機構を組み込んだり、或いは立体商品見本をその裏面側から照明する照明装置を組み込んだものである。更にこの広告ユニット１０の組み込み位置（窓部）の近傍、特にその下部位置には上記広告ユニット１０に展示された商品見本を選択的に指定する為の補助商品選択釦１１（この例では３個）が設けられている。この補助商品選択釦１１は、前述した商品選択釦４と共に一括して管理されるもので、商品選択釦４および補助商品選択釦１１の中の１つを選択的に押圧操作することで販売（購入）商品の指定が行われる。
【００１７】
尚、前記前扉２は、図１(ｂ)に示すように販売機本体１の前端部右側を回動支点として左開きに開閉自在に設けられている。更にこの前扉２の裏面側には図１(ｃ)に示すように該前扉２の裏面側を開放可能に中扉９が設けられている。特にこの中扉９は、前扉２の裏面奥部（販売機本体１の右側）を回動軸として、前扉２を開けた状態においてだけその裏面側に開閉し得るように設けられている。そして前述した広告ユニット１０は、上記中扉９を開けた状態において前扉２の裏面側から、該前扉２に開口された窓部に嵌め込むようにして装着されるようになっている。
【００１８】
また図１(ｂ)に前扉２を開けた状態を示すように、販売機本体１の内部にはパッケージ商品（たばこ）を銘柄別に分類して積み重ねて収納する複数列の商品コラム１ａが多段に設けられており、更に中扉９にも複数列の商品コラム９ａが多段に設けられている。これらの商品コラム１ａ,９ａは前扉２を閉じたときに所定の間隔を隔てて平行に対峙し、これらの商品コラム１ａ,９ａ間に形成される空間部を上記各商品コラム１ａ,９ａから選択的に払い出された商品（たばこ）を前記商品取出口６に導く為の商品ガイド（中央シュート）として形成するものとなってる。
【００１９】
更には図１(ｃ)に中扉９を開けた状態を示すように、前記中扉９の内側面、つまり商品コラム９ａの裏面側には前述した商品展示棚３ａが多段に設けられている。これらの商品展示棚３ａへの商品見本の載置（展示）等は、この図１(ｃ)に示すように中扉９を開けて行われる。また前述した広告ユニット１０の前扉２への装着も、上述したように中扉９を開けた状態で前記前扉２の裏側から行われる。
【００２０】
さて本発明に係る商品展示装置は、上述したように自動販売機の前扉２に組み込まれて商品展示部３を構成するもので、基本的には図２にその概略的な横断面構成を示すように中扉９に取り付けられた複数段の商品展示棚３ａと、これらの商品展示棚３ａの前面側を覆って前記前扉２に設けられた透明なアクリル板（透明体）２ａに組み付けられた商品選択操作ユニット４０とを備える。
【００２１】
より具体的には上記商品展示棚３ａは、図３に示すように、例えばプラスチック製の箱状の基体３１を主体とし、この基体３１の前面下部をその前面側に突出させて、例えば４個の立体商品見本Ｓを並べて載置可能な受け棚３２を形成すると共に、更にこの受け棚３２の前端部に所定の高さの板状の商品受け部３３を形成した形状を有する。そしてこの商品展示棚３ａは、図２に示すように前記基体３１の背面に突出形成したフック３４を中扉９に形成した展示棚取付孔９ｂに嵌め込むことで、該中扉９に装着されるようになっている。
【００２２】
また前記基体３１の前面には、前記受け棚３２の上方に位置して前記商品受け部３３側に突出する商品押さえ片（舌片）３５が切欠き形成されている。特に商品押さえ片３５は、基体３１に連接した一端部を支点として弾性変形可能な弾性片として設けられている。このような弾性片からなる商品押さえ片３５は、前記受け棚３２上に載置された立体商品見本Ｓを前記商品受け部３３との間に挟み込んで前記受け棚３２上に安定に保持する役割を担う。
【００２３】
尚、上述した商品展示棚３ａを多段に設けた中扉９には、各商品展示棚３ａの下方に位置して該商品展示棚３ａと平行に直管型の蛍光灯３８が設けられる。これらの蛍光灯３８は、プラスチック製の商品展示棚３ａを、更にはこの商品展示棚３ａに載置されたプラスチック製の立体商品見本Ｓを裏面側から透過照明すると共に、前述したアクリル板（透明体）２ａにより覆われた商品展示装置の内部空間を全体的に照明する役割を担う。
【００２４】
一方、前記商品選択操作ユニット４０は、上述した如く商品展示棚３ａに並べて載置される複数の立体商品見本Ｓに対応する商品選択釦４等を組み込んだもので、複数の商品選択釦４を並べて保持して前記アクリル板（透明体）２ａの前面側に設けられるユニット本体４１と、前記アクリル板（透明体）２ａの後面側に位置付けられて上記ユニット本体４１を該アクリル板（透明体）２ａに固定する為の背面部材４２とからなる。このユニット本体４１と背面部材４２とは対をなすもので、アクリル板（透明体）２ａを貫通するねじ等により両者を一体化固定することで該アクリル板（透明体）２ａを挟み込んで前扉２に装着される。特に上記ユニット本体４１と背面部材４２とからなる商品選択操作ユニット４０は、前記商品展示棚３ａに対応付けられ、且つ前述した蛍光灯３８を覆って前記アクリル板（透明体）２ａに装着されている。尚、上記背面部材４２は、図２に示すように断面コの字形状をなしており、その溝空間を前記商品選択釦４の電気配線スペースとして供するものとなっている。
【００２５】
ここでこの商品展示装置が特徴とする点について説明すると、前扉２側に設けられた前記商品選択操作ユニット４０における上述した背面部材４２に、プラスチック製のフィルム体に商品イメージを印刷したシート状商品見本（フィルムダミー）Ｆを保持する為の保持部４３を設けたところにある。具体的にはこの保持部４３は、前記背面部材４２の上部に設けられて前記シート状商品見本Ｆの下端部が差し込まれる第１の溝４３ａと、前記背面部材４２の下部に設けられて前記シート状商品見本Ｆの上端部が差し込まれる第２の溝４３ｂとからなる。これらの第１および第２の溝４３ａ,４３ｂは、上下に並べて平行に設けられる２つの背面部材４２,４２間において、互いにその溝部を対峙させることで１つの役割を果たすものである。そして上下に隣接する商品選択操作ユニット４０,４０の各背面部材４２,４２間において上記第１の溝４３ａと第２の溝と４３ｂの間に前記シート状商品見本Ｆを挟み込んで保持することで、該シート状商品見本Ｆを前記アクリル板（透明体）２ａの裏面側に位置付けるように構成したことを特徴としている。
【００２６】
尚、商品展示窓を形成するアクリル板（透明体）２ａの最上端部には、該アクリル板（透明体）２ａの裏面側に位置して前述した背面部材４２だけが設けられる。この背面部材４２は、多段に亘って平行に設けられる複数の商品選択操作ユニット４０の中の最上位に位置付けられる商品選択操作ユニット４０との間でシート状商品見本（フィルムダミー）Ｆを挟み込んで保持する役割を担う。
【００２７】
即ち、この発明に係る商品見本展示装置は、中扉９側に設けられて立体商品見本Ｓを展示する商品展示棚３ａと、複数の商品選択釦４を備えて前扉２側に設けられる商品選択操作ユニット４０とを備え、特に上記商品選択操作ユニット４０の前記アクリル板（透明体）２ａの裏面側に設けられる背面部材４２にシート状商品見本Ｆを保持する保持部４３を設けている。そして前扉２に対して中扉９を閉じたとき、上記商品展示棚３ａに展示された立体商品見本Ｓと前記保持部４３に装着されたシート状商品見本Ｆとが重なるようにして構成される。そして前扉２の保持部４３にシート状商品見本Ｆが装着されているときには、該シート状商品見本Ｆにてその背面側に位置付けられる立体商品見本Ｓを覆い隠して上記シート状商品見本Ｆが見えるようにし、シート状商品見本Ｆが装着されていないときにだけ前記商品展示棚３ａに展示された立体商品見本Ｓが見えるようにしたことを特徴としている。
【００２８】
かくして上述した第１および第２の溝４３ａ,４３ｂを商品選択操作ユニット４０の背面部材４２に形成し、これらの第１および第２の溝４３ａ,４３ｂを用いて上下に隣接する背面部材４２,４２間においてシート状商品見本（フィルムダミー）Ｆを挟み込んで保持する構成とした商品見本展示装置によれば、商品展示部３の前面を覆うアクリル板（透明体）２ａの背面に位置付けて、しかも商品選択操作ユニット４０に組み込まれた商品選択釦４に対応付けてシート状商品見本（フィルムダミー）Ｆを容易に装着することができる。またこのシート状商品見本（フィルムダミー）Ｆの装着は、中扉９を開けた状態において前扉２の裏面側に対して行うだけであり、商品展示棚３ａに載置されている立体商品見本Ｓの存在に拘わりなく行い得る。
【００２９】
そしてシート状商品見本（フィルムダミー）Ｆを装着した後に中扉９を閉じれば、該シート状商品見本（フィルムダミー）Ｆは商品展示棚３ａの前面に、特に該商品展示棚３ａに載置された立体商品見本（立体ダミー）Ｓの前面に位置付けられて、該立体商品見本Ｓを覆い隠すことになる。従って商品展示棚３ａ上から立体商品見本Ｓを撤去することなく商品展示部３にシート状商品見本Ｆをセットすることが可能となる。また逆にシート状商品見本（フィルムダミー）Ｆを取り外すことで、商品展示棚３ａ上に載置された立体商品見本（立体ダミー）Ｓを前扉２の前面側から視認可能に展示することが可能となる。従って今後、次第に増えてくると予想されるシート状商品見本（フィルムダミー）Ｆの商品展示部３への装着を容易に行うことが可能となる。しかもシート状商品見本（フィルムダミー）Ｆと立体商品見本（立体ダミー）Ｓとを混在させて商品展示部３に展示することが可能となる。
【００３０】
また上述した如くアクリル板（透明体）２ａの背面に位置付けて装着されるシート状商品見本（フィルムダミー）Ｆによれば、商品展示部３の内部空間を照明する蛍光灯３８によって、その裏面側から透過照明されることになる。従ってシート状商品見本（フィルムダミー）Ｆを裏面側から透過照明する為の光源を新たに設ける必要がない等の二次的な効果も奏せられる。
【００３１】
尚、背面部材４２の上部に設けた第１の溝４３ａを利用して、前記商品展示棚３ａ上に載置した立体商品見本Ｓを覆い隠すことのない大きさのシート状の広告パネル（広告フィルム）を差し込み、これを保持するようにしても良い。またこのような広告パネルをシート状商品見本（フィルムダミー）Ｆの前面に重ね合わせて前記第１の溝４３ａに装着することも勿論可能である。またシート状商品見本（フィルムダミー）Ｆが、例えば０.１〜０.２ｍｍ程度の厚みを有するＰＰ（ポリプロピレン）やＰＥＴ（ポリエチレン・テフタレート）等のプラスチック（合成樹脂材）により構成されるので、その弾性的な撓みを利用して前述した第１および第２の溝４３ａ,４３ｂ間への装脱（装着や交換）を行うにようにすれば十分である。
【００３２】
またここで用いるシート状商品見本（フィルムダミー）Ｆについては、立体商品見本Ｓの幅に相当する大きさのものであっても良いが、商品見本展示棚３ａの幅の範囲において、１つの商品見本Ｓの展示領域の幅の整数倍のものであれば十分である。この際、例えば前述した商品選択操作ユニット４０における背面部材４２の取付間隔を上下方向に一定化しておけば、共通の縦長寸法を有するシート状商品見本（フィルムダミー）Ｆを準備するだけで、複数段の商品見本展示棚３ａのそれぞれに対応付けて任意に装着することが可能となる。従ってシート状商品見本（フィルムダミー）Ｆを始めとする各種部品を共通化する上で実用上好ましい。
【００３３】
また上述した如く商品選択操作ユニット４０における背面部材４２を利用してシート状商品見本（フィルムダミー）Ｆを装着するようにした構造の商品見本展示装置によれば、背面部材４２に装着したシート状商品見本（フィルムダミー）Ｆによってその背面側の商品展示棚３ａが覆い隠されることになるので、商品見本に対応する価格ラベルを上記背面部材４２に装着するようにしておくことが望ましい。具体的には背面部材４２の上部前面側に、特に前述した第１の溝４３ａの前面側に位置付けて価格ラベルを保持するホルダを形成しておくようにすれば良い。このような構造を採用すれば、商品展示棚３ａに立体商品見本（立体ダミー）Ｓを載置する場合であっても、或いは上下に対をなす背面部材４２間にシート状商品見本（フィルムダミー）Ｆを装着する場合であっても、その価格ラベルを上記各商品見本Ｓ,Ｆよりも前面側に確実に保持することが可能となる。その他、本発明はその要旨を逸脱しない範囲で種々変形して実施することができる。
【図面の簡単な説明】
【００３４】
【図１】本発明に係る商品見本展示装置が商品展示部として組み込まれるたばこの自動販売機の概略的な構成を示す図。
【図２】本発明の一実施形態に係る商品見本展示装置の自動販売機への概略的な組み付け構造を示す図。
【図３】本発明の一実施形態に係る商品見本展示装置の要部概略構成を示す斜視図。
【符号の説明】
【００３５】
２  前扉
２ａ  アクリル板（透明体）
３  商品展示部
３ａ  商品展示棚
４  商品選択釦
９  中扉
３８  蛍光灯
４０  商品選択操作ユニット
４１  ユニット本体
４２  背面部材
４３  シート状商品見本（フィルムダミー）の保持部
４３ａ,４３ｂ  溝（保持部）
Ｓ  立体商品見本（立体ダミー）
Ｆ  シート状商品見本（フィルムダミー）
【図１】
2005332251.tif 000003
【図２】
2005332251.tif 000004
【図３】
2005332251.tif 000005